(57)【特許請求の範囲】
【請求項１】
照明光を出射する照明部と、
時刻を計時する計時部と、
ユーザから設定時刻の入力を受け付ける入力部と、
前記設定時刻に基づいて前記照明部を制御する制御部とを備え、
前記制御部は、前記設定時刻以降の第１時刻から第２時刻にかけて前記照明部の調光比を低下させ、前記第２時刻から第３時刻にかけて前記調光比を増加させる覚醒制御を行い、
前記第２時刻から前記第３時刻までの前記調光比の時間変化を、前記調光比をＹ、時刻をｔとして定数ａ、ｂ、ｃ、ｄを用いて表される関数
【数１】
0006508598.tif 000004
にフィッティングした場合、定数ｃは、前記第３時刻より前記第２時刻に近い値になる
照明装置。
【請求項２】
前記制御部は、前記覚醒制御を繰り返す
請求項１に記載の照明装置。
【請求項３】
前記制御部は、前記覚醒制御において、さらに、前記第３時刻から第４時刻にかけて前記第３時刻における調光比を維持する
請求項２に記載の照明装置。
【請求項４】
さらに、
アラーム音を発するアラーム部を備え、
前記制御部は、前記設定時刻に前記アラーム音を発生させる
請求項１〜３のいずれか１項に記載の照明装置。
【請求項５】
前記制御部は、前記覚醒制御において、さらに、前記第３時刻で前記アラーム音を発生させる
請求項４に記載の照明装置。
【請求項６】
前記制御部は、前記覚醒制御の繰り返しにおいて間欠的に前記第３時刻で前記アラーム音を発生させる
請求項５に記載の照明装置。
【請求項７】
前記制御部は、さらに、前記設定時刻より前の開始時刻で前記照明光の照射を開始し、前記設定時刻まで前記調光比を漸次増加させる漸増制御を行う
請求項１〜６のいずれか１項に記載の照明装置。
【請求項８】
前記第１時刻から前記第３時刻までの期間は、前記開始時刻から前記設定時刻までの期間より短い
請求項７に記載の照明装置。
【請求項９】
前記第１時刻から前記第３時刻までの期間は、１分以下である
請求項１〜８のいずれか１項に記載の照明装置。
【請求項１０】
前記制御部は、前記覚醒制御において、さらに、前記第２時刻から前記第３時刻にかけて前記照明光の相関色温度を上昇させる
請求項１〜９のいずれか１項に記載の照明装置。
【請求項１１】
前記第２時刻から前記第３時刻における前記調光比と前記相関色温度との関係は、略線形である
請求項１０に記載の照明装置。
【請求項１２】
さらに、
前記設定時刻を含む所定の制御情報を表示する表示部を備える
請求項１〜１１のいずれか１項に記載の照明装置。
【請求項１３】
照明光を出射する照明部を備える照明装置と、当該照明装置を制御する制御装置とを備える照明システムであって、
前記制御装置は、
時刻を計時する計時部と、
ユーザから設定時刻の入力を受け付ける入力部と、
前記設定時刻に基づいて前記照明部を制御する制御部とを備え、
前記制御部は、前記設定時刻以降の第１時刻から第２時刻にかけて前記照明部の調光比を低下させ、前記第２時刻から第３時刻にかけて前記調光比を増加させる覚醒制御を行い、
前記第２時刻から前記第３時刻までの前記調光比の時間変化を、前記調光比をＹ、時刻をｔとして定数ａ、ｂ、ｃ、ｄを用いて表される関数
【数２】
0006508598.tif 000005
にフィッティングした場合、定数ｃは、前記第３時刻より前記第２時刻に近い値になる
照明システム。
【発明の詳細な説明】
【技術分野】
【０００１】
本発明は、照明装置及び照明システムに関する。
【背景技術】
【０００２】
従来、主に住宅において居住者の快適な起床のための光環境を実現する照明装置が知られている。例えば、特許文献１には、起床指定時刻より一定時間だけ早い時刻から、徐々に光量を強める目覚まし装置が開示されている。
【０００３】
しかしながら、特許文献１に記載の目覚まし装置では、起床指定時刻を超えて超過睡眠をする就寝者（いわゆる二度寝をする就寝者）を起床させることができない。これに対して、特許文献２では、起床指定時刻を超えて超過睡眠をする就寝者を覚醒させるために、起床指定時刻以降に間欠的に光刺激及び音刺激を与える目覚まし照明装置が開示されている。
【先行技術文献】
【特許文献】
【０００４】
【特許文献１】特開平４−２６４２８９号公報
【特許文献２】特開２００８−１５７７７４号公報
【発明の概要】
【発明が解決しようとする課題】
【０００５】
しかしながら、光刺激及び音刺激を間欠的に与えるだけでは、必ずしも快適に起床させることにはつながらない。快適な起床には、起床時のユーザの気分を良くすることと、ユーザの眠気を少なくすることとを両立させることが望まれる。
【０００６】
そこで、本発明は、ユーザを快適に起床させることができる照明装置及び照明システムを提供することを目的とする。
【課題を解決するための手段】
【０００７】
上記目的を達成するため、本発明の一態様に係る照明装置は、照明光を出射する照明部と、時刻を計時する計時部と、ユーザから設定時刻の入力を受け付ける入力部と、前記設定時刻に基づいて前記照明部を制御する制御部とを備え、前記制御部は、前記設定時刻以降の第１時刻から第２時刻にかけて前記照明部の調光比を低下させ、前記第２時刻から第３時刻にかけて前記調光比を増加させる覚醒制御を行い、前記第２時刻から前記第３時刻までの前記調光比の時間変化を、前記調光比をＹ、時刻をｔとして定数ａ、ｂ、ｃ、ｄを用いて表される関数
【数１】
0006508598.tif 000002
にフィッティングした場合、定数ｃは、前記第３時刻より前記第２時刻に近い値になる。
【０００８】
また、本発明の一態様に係る照明システムは、照明光を出射する照明部を備える照明装置と、当該照明装置を制御する制御装置とを備える照明システムであって、前記制御装置は、時刻を計時する計時部と、ユーザから設定時刻の入力を受け付ける入力部と、前記設定時刻に基づいて前記照明部を制御する制御部とを備え、前記制御部は、前記設定時刻以降の第１時刻から第２時刻にかけて前記照明部の調光比を低下させ、前記第２時刻から第３時刻にかけて前記調光比を増加させる覚醒制御を行い、前記第２時刻から前記第３時刻までの前記調光比の時間変化を、前記調光比をＹ、時刻をｔとして定数ａ、ｂ、ｃ、ｄを用いて表される上記関数にフィッティングした場合、定数ｃは、前記第３時刻より前記第２時刻に近い値になる。
【発明の効果】
【０００９】
本発明に係る照明装置などによれば、ユーザを快適に起床させることができる。
【図面の簡単な説明】
【００１０】
【図１】実施の形態１に係る照明装置とその使用環境とを示す模式図である。
【図２】実施の形態１に係る照明装置の機能構成を示すブロック図である。
【図３】実施の形態１に係る照明装置の動作（起床制御）を示すフローチャートである。
【図４】実施の形態１に係る起床制御中の調光比（光出力）の時間変化を示す図である。
【図５】実施の形態１に係る覚醒制御中の調光比の時間変化を示す図である。
【図６】実施の形態１に係る照明装置の覚醒制御を示すフローチャートである。
【図７】シグモイドカーブを示す図である。
【図８】調光比の時間変化をシグモイドカーブにフィッティングした例を示す図である。
【図９】実施の形態１に係る照明装置の照明部の調光比と相関色温度との関係を示す図である。
【図１０Ａ】実施の形態１に係る照明装置のアラーム部の動作を説明するための図である。
【図１０Ｂ】実施の形態１に係る照明装置のアラーム部の動作の別の例を説明するための図である。
【図１１】実施の形態１に係る照明装置の覚醒制御中の割込処理を示すフローチャートである。
【図１２】実施の形態１に係る起床制御の実験結果を示す図である。
【図１３】実施の形態１に係る第２時刻における調光比の適切な値を求めるための実験結果を示す図である。
【図１４】実施の形態１の変形例に係る照明装置とその使用環境とを示す模式図である。
【図１５】実施の形態２に係る照明システムとその使用環境とを示す模式図である。
【図１６】実施の形態２に係る照明システムの機能構成を示すブロック図である。
【図１７】実施の形態２の変形例に係る照明システムとその使用環境とを示す模式図である。
【図１８】実施の形態３に係る照明システムとその使用環境とを示す模式図である。
【図１９】実施の形態３に係る照明システムの機能構成を示すブロック図である。
【図２０】実施の形態４に係る照明システムとその使用環境とを示す模式図である。
【図２１】実施の形態４に係る照明システムの機能構成を示すブロック図である。
【発明を実施するための形態】
【００１１】
以下では、本発明の実施の形態に係る照明装置及び照明システムについて、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１２】
（実施の形態１）
［概要］
まず、本実施の形態に係る照明装置の概要について、図１を用いて説明する。図１は、本実施の形態に係る照明装置１０とその使用環境とを示す模式図である。
【００１３】
照明装置１０は、ベッド２で就寝中のユーザ１を快適に起床させるための起床制御を行う。起床制御は、照明装置１０の照明部１１の調光比（光出力）を制御することである。本実施の形態では、図１に示すように、照明装置１０は、電気スタンド型の照明装置（デスクスタンド）であって、ベッド２の近くに設けられている。具体的には、照明装置１０は、ユーザ１の枕元に配置されて、ユーザ１の顔を照明する。
【００１４】
ユーザ１は、照明装置１０の入力部１３を介して設定時刻の入力などを行う。設定時刻は、ユーザ１が起床を希望する時刻である。入力された設定時刻は、例えば、照明装置１０の表示部１６に表示される。
【００１５】
照明装置１０は、入力された設定時刻の前の開始時刻から起床制御を行う。具体的には、照明装置１０は、開始時刻から設定時刻までは漸増制御を行い、設定時刻以降は、覚醒制御を行う。各制御の詳細については、後で説明する。
【００１６】
［照明装置の構成］
以下では、本実施の形態に係る照明装置１０の詳細な構成について、図２を用いて説明する。
【００１７】
図２は、本実施の形態に係る照明装置１０の機能構成を示すブロック図である。図２に示すように、照明装置１０は、照明部１１と、計時部１２と、入力部１３と、制御部１４と、アラーム部１５と、表示部１６と、センサ部１７と、記憶部１８とを備える。
【００１８】
照明部１１は、照明光を出射する。具体的には、照明部１１は、可視光領域の照明光を出射する光源である。例えば、照明部１１は、固体発光素子を含む光源であり、具体的には、ＬＥＤ（Ｌｉｇｈｔ  Ｅｍｉｔｔｉｎｇ  Ｄｉｏｄｅ）若しくはレーザ素子などの半導体発光素子又は有機ＥＬ素子などを含んでいる。あるいは、照明部１１は、蛍光灯などの放電型ランプでもよい。
【００１９】
照明部１１は、少なくとも調光可能な光源である。具体的には、照明部１１は、制御部１４によって照明光の出力が変更される。つまり、照明部１１は、制御部１４によって決定された調光比に応じた出力の照明光を出射する。調光比は、照明部１１が出射可能な光出力の最大値（すなわち、調光比１００％）に対する照明光の割合である。
【００２０】
本実施の形態では、照明部１１は、さらに、調色可能な光源である。具体的には、照明部１１は、制御部１４によって照明光の相関色温度が変更される。つまり、照明部１１は、制御部１４によって決定された相関色温度の照明光を出射する。
【００２１】
計時部１２は、時刻を計時する。具体的には、計時部１２は、制御部１４に現在時刻を通知する。計時部１２は、例えば、いわゆるリアルタイムクロックなどのクロック回路である。
【００２２】
入力部１３は、ユーザ１から設定時刻（起床希望時刻）の入力を受け付ける。具体的には、入力部１３は、ユーザ１が入力した設定時刻を制御部１４に通知する。本実施の形態では、入力部１３は、ユーザ１からの起床制御の実行指示（いわゆる目覚ましの設定）を受け付ける。また、入力部１３は、アラーム部１５が発するアラーム音の停止指示を受け付けてもよい。入力部１３は、起床制御の実行指示及びアラーム音の停止指示などを制御部１４に通知する。
【００２３】
入力部１３は、例えば、図１に示すような物理的な押下式のボタンであるが、これに限らない。入力部１３は、スライド式のスイッチ又はタッチパネルなどの入力インタフェースでもよい。
【００２４】
制御部１４は、起床制御を行う。具体的には、制御部１４は、設定時刻に基づいて照明部１１を制御する。起床制御は、設定時刻に基づいて照明部１１の調光比を変化させる制御である。例えば、制御部１４は、ＰＷＭ（Ｐｕｌｓｅ  Ｗｉｄｔｈ  Ｍｏｄｕｌａｔｉｏｎ）制御により照明部１１の調光を行う。起床制御は、漸増制御と覚醒制御とを含んでいる。制御部１４は、設定時刻の前に漸増制御を行い、設定時刻以降に覚醒制御を行う。起床制御の詳細については、後で詳細に説明する。
【００２５】
本実施の形態では、制御部１４は、照明装置１０の全体の制御を行う。具体的には、制御部１４は、計時部１２、入力部１３及びセンサ部１７からの情報に基づいて、照明部１１、アラーム部１５及び表示部１６の各々の出力を制御する。制御部１４は、例えば、プロセッサなどのプログラム実行部である。本実施の形態では、制御部１４は、記憶部１８に格納された制御プログラムを読み出して実行することで、起床制御を行う。
【００２６】
アラーム部１５は、アラーム音を発する。具体的には、アラーム部１５は、制御部１４による制御に基づいて、所定のタイミングでアラーム音を発する。アラーム部１５は、例えば、デスクスタンド（照明装置１０）に内蔵されたブザー、スピーカなどである。
【００２７】
表示部１６は、所定の制御情報を表示する。所定の制御情報は、設定時刻を含む。制御情報は、さらに、現在時刻、アラーム音の鳴動回数、覚醒制御の実行回数などを含んでもよい。本実施の形態では、図１に示すように、表示部１６は、現在時刻と設定時刻とを表示する。表示部１６は、例えば、液晶パネル又は有機ＥＬ（Ｅｌｅｃｔｒｏ  Ｌｕｍｉｎｅｓｃｅｎｃｅ）パネルである。図１に示す例では、表示部１６は、デスクスタンド（照明装置１０）の下部に設けられているが、これに限らない。
【００２８】
センサ部１７は、ユーザ１の睡眠状態を検出する検出部の一例である。具体的には、センサ部１７は、ユーザ１の開眼状況を検出する。センサ部１７は、例えば、ミリ波センサなどの電波センサであり、ユーザ１の眼に向けて電波を放射し、その反射波を検出する。ユーザ１が開眼しているか閉眼しているかに応じて、反射波の強度及び周波数などが異なるので、反射波を解析することでユーザ１の開眼状況を判定することができる。
【００２９】
センサ部１７は、検出した反射波に応じた電気信号を制御部１４に出力する。制御部１４は、センサ部１７から出力された電気信号に基づいて、反射波の強度及び周波数の変動などを判定し、ユーザ１が眼を開けているか閉じているかを判定する。つまり、ユーザ１が起床しているか否かを判定することができる。
【００３０】
あるいは、センサ部１７は、ユーザ１の顔（具体的には、眼）を撮像するイメージセンサでもよい。センサ部１７は、撮像により得られた画像を制御部１４に出力する。制御部１４は、画像を解析することで、ユーザ１が眼を開けているか閉じているかを判定する。例えば、制御部１４は、開眼時のユーザ１の眼を示すサンプル画像と、撮像により得られた画像とのマッチングを行うことで、ユーザ１が眼を開けているか閉じているかを判定する。
【００３１】
記憶部１８は、制御部１４が実行する漸増制御及び覚醒制御などの実行プログラムを記憶している。また、記憶部１８は、入力部１３を介してユーザ１から入力された設定時刻などの制御情報を記憶する。記憶部１８は、例えば、フラッシュメモリなどの半導体メモリ又は強誘電体メモリなどである。
【００３２】
［起床制御］
続いて、本実施の形態に係る照明装置１０が行う起床制御、すなわち、照明装置１０の動作について、図３〜図１１を用いて説明する。
【００３３】
なお、照明装置１０は、例えば、ユーザ１が入力部１３を操作して起床制御の実行指示を行った場合に起床制御を実行する。あるいは、照明装置１０は、予め定められたスケジュール（例えば、平日のみに起床制御を実行する）に基づいて起床制御を実行するか否かを決定してもよい。
【００３４】
図３は、本実施の形態に係る照明装置１０の動作（起床制御）を示すフローチャートである。図４は、本実施の形態に係る起床制御中の調光比（光出力）の時間変化を示す図である。なお、図４において、横軸が時刻（ｍｉｎ：分）であり、縦軸が照明部１１の調光比（％）である。
【００３５】
なお、本実施の形態では、ユーザ１が入力部１３を操作することで、設定時刻が予め設定されている。例えば、図１に示す例では、設定時刻は「７：４５」に設定されている。
【００３６】
図３に示すように、時刻（現在時刻）が起床制御の開始時刻になるまで、待機する（Ｓ１０でＮｏ）。現在時刻は、計時部１２から通知される時刻である。
【００３７】
具体的には、図４に示すように、制御部１４は、開始時刻の前では照明部１１の調光比を０％にする。なお、起床制御の開始時刻は、設定時刻より前の時刻である。開始時刻は、例えば、漸増制御に要する時間と設定時刻とに基づいて決定される。漸増制御に要する時間は、例えば、５分以上１５０分未満であり、一例として３０分である。このとき、設定時刻が「７：４５」であれば、開始時刻は、設定時刻の３０分前の「７：１５」である。
【００３８】
現在時刻が開始時刻になった場合に（Ｓ１０でＹｅｓ）、制御部１４は、漸増制御を行う（Ｓ１１）。漸増制御は、開始時刻で照明光の照射を開始し、設定時刻まで調光比を漸次増加させる制御である。制御部１４は、照明部１１を制御することで、図４に示すように、開始時刻で所定の低い調光比の照明光を出射させる。開始時刻における調光比は、例えば、照明部１１が照明光を出射可能な範囲における最小値（例えば、５％）である。
【００３９】
なお、漸増制御は、前半部と後半部とに分けられる。前半部では、後半部より調光比が小さく、かつ、その変化量も小さい。例えば、前半部は、調光比の単位時間当たりの変化量を一定に維持する期間であり、後半部は、調光比の単位時間当たりの変化量を漸増させる期間である。前半部の期間は、後半部の期間より長い。本実施の形態では、漸増制御において、調光比の時間変化の傾きは常に０以上である。すなわち、本実施の形態に係る漸増制御では、調光比は減少しない。これにより、漸増制御においては、照明部１１の調光比は、よりゆっくりと少しずつ増加し（前半部）、設定時刻が近づくと急激に増加する（後半部）。
【００４０】
現在時刻が設定時刻になったとき（Ｓ１２でＹｅｓ）、制御部１４は、アラーム部１５を制御することでアラーム音を発生させる（Ｓ１３）。具体的には、アラーム部１５は、制御部１４の制御によって、予め定められた期間（以下、「アラーム期間」と記載する）、アラーム音を鳴らす。アラーム期間中に入力部１３によってユーザ１からアラーム音の停止を受け付けた場合に、制御部１４は、アラーム音の発生を停止させ、覚醒制御を開始する。ユーザ１からアラーム音の停止を受け付けない場合は、制御部１４は、アラーム期間経過後に、アラーム音の発生を停止させ、覚醒制御を開始する。
【００４１】
制御部１４は、アラーム音を発生させた後、覚醒制御を行う（Ｓ１４）。以下では、覚醒制御（Ｓ１４）の詳細について、図５及び図６を用いて説明する。
【００４２】
図５は、本実施の形態に係る照明装置１０の覚醒制御中の調光比の時間変化を示す図である。図６は、本実施の形態に係る照明装置１０の覚醒制御を示すフローチャートである。図５において、横軸が時刻（ｓｅｃ：秒）であり、縦軸が照明部１１の調光比（％）である。
【００４３】
図６に示すように、まず、制御部１４は、調光比を減少させる（Ｓ２０）。制御部１４は、調光比が第１目標値に達するまで、調光比を減少させる（Ｓ２１でＮｏ）。
【００４４】
具体的には、制御部１４は、図５に示すように、設定時刻以降の第１時刻Ｔ１から第２時刻Ｔ２にかけて照明部１１の調光比を減少させる。第１時刻Ｔ１は、ユーザ１がアラーム音を停止させた時刻、又は、アラーム音が停止されずにアラーム期間が経過した時刻である。第２時刻Ｔ２は、調光比が予め定められた目標値である第１目標値に達した時刻である。
【００４５】
図５に示す例では、制御部１４は、第１時刻Ｔ１における調光比Ｙ１から、第１目標値である調光比Ｙ２まで、照明部１１の調光比を減少させる。調光比Ｙ１は、照明部１１が出射可能な光出力の最大値、すなわち、調光比の最大値Ｙｍａｘ（具体的には１００％）より低い値であるが、これに限定されない。調光比Ｙ１は、最大値Ｙｍａｘでもよい。
【００４６】
なお、図４に示すように、覚醒制御の繰り返しの１回目においては、調光比Ｙ１は、設定時刻の調光比であり、例えば、８０％である。これに対して、覚醒制御の繰り返しの２回目においては、調光比Ｙ１は、直前の覚醒制御の終了時点（第４時刻Ｔ４）における調光比であり、例えば、１００％である。このように、覚醒制御の繰り返しにおいて、調光比Ｙ１は、繰り返し毎に異なる値でもよい。
【００４７】
本実施の形態では、調光比Ｙ２は、２６％以下である。第２時刻Ｔ２における調光比Ｔ２を２６％以下にすることで、眼を閉じているユーザ１にとっては暗闇（調光比０％）と略同じ状況を作り出すことができる。また、図５に示す例では、調光比Ｙ２は、照明部１１が出射可能な光出力の最小値、すなわち、調光比の最小値Ｙｍｉｎより高い値であるが、これに限定されない。調光比Ｙ２は、最小値Ｙｍｉｎでもよい。最小値Ｙｍｉｎは、例えば、５％である。
【００４８】
本実施の形態では、制御部１４は、例えば、調光比Ｙ１から調光比Ｙ２まで一定の割合で調光比を減少させる。あるいは、制御部１４は、減少の割合を可変にしてもよい。
【００４９】
調光比が第１目標値に達した場合（Ｓ２１でＹｅｓ）、制御部１４は、調光比を増加させる（Ｓ２２）。制御部１４は、調光比が第２目標値に達するまで、調光比を増加させる（Ｓ２３でＮｏ）。
【００５０】
具体的には、制御部１４は、図５に示すように、第２時刻Ｔ２から第３時刻Ｔ３にかけて照明部１１の調光比を増加させる。第３時刻Ｔ３は、調光比が予め定められた目標値である第２目標値に達した時刻である。
【００５１】
図５に示す例では、制御部１４は、第２時刻Ｔ２における調光比Ｙ２から、第２目標値である調光比Ｙ３まで、照明部１１の調光比を増加させる。本実施の形態では、調光比Ｙ３は、調光比Ｙｍａｘであるが、これに限定されない。調光比Ｙ３は、例えば、調光比Ｙ１に等しくてもよく、あるいは、調光比Ｙ１より大きくても小さくてもよい。
【００５２】
本実施の形態では、制御部１４は、第２時刻Ｔ２から第３時刻Ｔ３にかけて、調光比を所定の条件に基づいて増加させる。その結果、第２時刻Ｔ２から第３時刻Ｔ３までの調光比の時間変化を、調光比をＹ、時刻をｔとして、定数（フィッティングパラメータ）ａ、ｂ、ｃ、ｄを用いて表される関数
【数２】
0006508598.tif 000003
にフィッティングした場合、定数ｃは、第３時刻Ｔ３より第２時刻Ｔ２に近い値となる。なお、当該関数（１）は、いわゆるシグモイド関数（シグモイドカーブ）である。図７は、シグモイドカーブを示す図である。
【００５３】
図７に示すように、定数ａは調光比の最大値であり、定数ｄは調光比の最小値である。定数ｃは、シグモイドカーブの変曲点であり、具体的には傾きが最大となる時刻である。定数ｂは、変曲点（定数ｃ）における傾きである。
【００５４】
フィッティング（当てはめ）は、例えば、最小二乗法に基づいて行われる。図８は、調光比の時間変化をシグモイドカーブにフィッティングした例を示す図である。太実線が、調光比の実際の変化を示しており、太破線が関数（１）にフィッティングした結果を示している。
【００５５】
具体的には、目的の曲線（具体的には、実際の調光比の制御パターン）に対して、回帰曲線（具体的には、関数（１））の定数（具体的には、ａ、ｂ、ｃ、ｄ）の数値を変化させながら、目的の曲線と回帰曲線との残差の二乗の総和を最小にするときの定数を決定する。なお、目的の曲線は、実際の調光比の制御パターンとして、照明装置１０から出射された照射光の照度などを測定し、その測定結果（例えば、照度の時間変化）を用いることもできる。
【００５６】
本実施の形態では、制御部１４は、定数ｃが第３時刻Ｔ３より第２時刻Ｔ２に近い値となるシグモイド関数に従って調光比を制御する。あるいは、制御部１４は、シグモイド関数ではなく、上に凸の二次関数などのｎ次関数、指数関数、対数関数などいかなる関数に従って調光比を制御してもよい。結果的に、調光比の時間変化を上記の関数（１）にフィッティングした場合に、図８に示したように定数ｃが第３時刻Ｔ３より第２時刻Ｔ２に近い値になればよい。
【００５７】
本実施の形態では、制御部１４は、さらに、第２時刻Ｔ２から第３時刻Ｔ３にかけて照明光の相関色温度を制御する。具体的には、制御部１４は、照明光の調光比に応じて相関色温度を制御する。
【００５８】
図９は、本実施の形態に係る照明装置１０の照明部１１の調光比と相関色温度との関係を示す図である。図９において、横軸は照明部１１の相関色温度を示し、縦軸は調光比を示している。
【００５９】
制御部１４は、例えば、図９に示す関係を満たすように、照明光の調光比に基づいて相関色温度を制御する。具体的には、第２時刻Ｔ２から第３時刻Ｔ３における調光比と相関色温度との関係は、略線形である。相関色温度の範囲は、例えば、電球色（２７００Ｋ）から昼光色（６４００Ｋ）であるが、これに限定されない。
【００６０】
図６に戻り、調光比が第２目標値に達した場合（Ｓ２３でＹｅｓ）、アラーム音を鳴らすと定められているときは（Ｓ２４でＹｅｓ）、制御部１４は、アラーム部１５を制御することでアラーム音を発生させる（Ｓ２５）。つまり、制御部１４は、第３時刻Ｔ３でアラーム音を発生させる。
【００６１】
アラーム音を鳴らすか否か（Ｓ２４）は、予め定められた条件に基づいて制御部１４が決定する。図１０Ａ及び図１０Ｂは、本実施の形態に係る照明装置１０のアラーム部１５の動作を説明するための図である。
【００６２】
例えば、図１０Ａに示すように、制御部１４は、覚醒制御の繰り返しにおいて、毎回、第３時刻Ｔ３でアラーム音を発生させてもよい。あるいは、図１０Ｂに示すように、制御部１４は、覚醒制御の繰り返しにおいて、間欠的に第３時刻Ｔ３でアラーム音を発生させてもよい。具体的には、制御部１４は、Ｎ回（Ｎは自然数）の繰り返し毎に１回アラーム音を発生させる。図１０Ｂに示す例では、３回に１回アラーム音を発生させている。
【００６３】
アラーム音を発生させた後、制御部１４は、照明部１１の調光比を所定期間、維持する（Ｓ２６）。具体的には、図５に示すように、制御部１４は、第３時刻Ｔ３から第４時刻Ｔ４にかけて第３時刻Ｔ３における調光比を維持する。なお、調光比を維持する期間は、予め定められていてもよく、あるいは、アラーム音がユーザ１によって停止されるまでの期間でもよい。
【００６４】
覚醒制御においては、調光比の減少に要する期間、すなわち、第１時刻Ｔ１から第２時刻Ｔ２は、特に限定されないが、例えば２秒である。調光比の増加に要する期間、すなわち、第２時刻Ｔ２から第３時刻Ｔ３は、特に限定されないが、例えば８秒である。調光比を維持する期間、すなわち、第３時刻Ｔ３から第４時刻Ｔ４までの期間は、特に限定されないが、例えば５０秒である。
【００６５】
本実施の形態では、第１時刻Ｔ１から第３時刻Ｔ３までの期間は、開始時刻から設定時刻までの期間、すなわち、漸増制御の期間より短い。具体的には、第１時刻Ｔ１から第４時刻Ｔ４までの期間、すなわち、１回の覚醒制御の期間は、漸増制御の期間より短い。例えば、第１時刻Ｔ１から第３時刻Ｔ３までの期間は、１分以下である。第１時刻Ｔ１から第４時刻Ｔ４までの期間が１分以下でもよい。
【００６６】
第４時刻Ｔ４になると、図３に示すステップＳ１５へ進み、制御部１４は、ユーザ１が起床したか否かを判定する。
【００６７】
制御部１４は、ユーザ１が起床するまで覚醒制御（Ｓ１４）を繰り返す（Ｓ１５でＮｏ）。具体的には、制御部１４は、センサ部１７からの通知に基づいてユーザ１が起床しているか否かを判定する。ユーザ１が起床していない場合、制御部１４は、覚醒制御を繰り返す。
【００６８】
なお、ユーザ１が起床したか否かの判定は、覚醒制御中の割込処理として実行される。図１１は、本実施の形態に係る覚醒制御中の割込処理を示すフローチャートである。
【００６９】
制御部１４は、ユーザ１が起床していないと判定した場合（Ｓ３０でＮｏ）、覚醒制御を継続する。具体的には、図６に示す覚醒制御における処理中のステップを行う（Ｓ３１）。ユーザ１が起床していると判定した場合（Ｓ３０でＹｅｓ）、図３に示すステップＳ１６へ進み、制御部１４は、調光比を最大値で維持する。なお、図３において、離床時刻は、ユーザ１が起床した時刻を示している。制御部１４は、離床時刻以降は、調光比を予め定められた値（例えば、最大値）に維持する。
【００７０】
［起床制御による実験結果］
ここで、実際に、本実施の形態に係る照明装置１０によってユーザ１を起床させた場合の実験結果について図１２を用いて説明する。図１２は、本実施の形態に係る起床制御の実験結果を示す図である。
【００７１】
具体的には、複数の被験者に対して、漸増制御と覚醒制御との両方を含む実施例に係る実験と、漸増制御のみの比較例に係る実験とを行い、被験者の起床後の目覚めの気分を主観評価させた。被験者としては、２０代〜５０代の男女１０名を選んだ。実施例と比較例とは、各々１週間ずつ行った。
【００７２】
起床時の目覚めの主観評価項目には、５段階のＳＤ（Ｓｅｍａｎｔｉｃ  Ｄｉｆｆｅｒｅｎｔｉａｌ）評価指数を用いて、起床時の気分と起床時の眠気との各々を「＋２」〜「−２」の５段階で評価した。起床時の気分については、「＋２」を「非常に気分が良い」とし、「−２」を「非常に気分が悪い」とした。起床時の眠気についても同様に、「＋２」を「眠気が全くない」とし、「−２」を「眠気が非常にある」とした。
【００７３】
図１２に示すように、起床時の気分及び眠気の両方とも、漸増制御と覚醒制御とを行った場合に、漸増制御のみの場合に比べて改善していることが分かる。すなわち、本実施の形態に係る照明装置１０によれば、起床時のユーザ１の気分を良くすることと、ユーザ１の眠気を少なくすることとを両立させることができる。つまり、照明装置１０によれば、ユーザ１を快適に起床させることができる。
【００７４】
また、ユーザ１を快適に起床させるためには、覚醒制御において、ユーザ１に暴露する照明光の光量が多い程良く、かつ、光量変化を大きくすることが良い。このため、例えば、覚醒制御における調光比の極小値である第２時刻Ｔ２における調光比Ｙ２は、できるだけ大きな値で、かつ、ユーザ１に対する光量変化が大きく感じられる値であることが望まれる。そこで、調光比Ｙ２の適切な値を求めるために、以下の実験を行った。
【００７５】
具体的には、２０代〜６０代の男女９名を被験者として、一般的な天井照明器具を用いて実験を行った。照明器具の最小出力をコントロール条件として、コントロール条件と実験条件とを明順応状態から交互に５秒ずつ提示した後、暗く感じた条件を回答させた。明順応時、条件提示時、評価時は、常に仰臥位姿勢、かつ、閉眼状態にさせた。
【００７６】
７水準の条件の提示順序とコントロール刺激との提示順序（前後の２水準）それぞれを、順序効果が出ないようにランダムに条件を提示し、１つの条件について、合計１０回評価させた。
【００７７】
被験者毎の各条件の正答率に対し、ロジスティック回帰分析を行うことで、閾値を算出した。その結果、回帰曲線のＲ２値が高い値（＞０．７）を示し、適切な回帰であることが示された。被験者毎の閾値（７５％閾値）の平均値を算出した結果、図１３に示すように、２６％という結果が得られた。なお、図１３は、本実施の形態に係る第２時刻Ｔ２における調光比Ｙ２の適切な値を求めるための実験結果を示す図である。横軸は、被験者の識別番号（ＩＤ）を示し、縦軸は、被験者が明るく感じたときの明状態に対する出力比の平均値を示している。
【００７８】
このことは、被験者が閉眼状態であれば、ある明るさの環境から暗い環境に変化させた時、元の明るさの２６％の出力であれば、それ以下の出力と同程度の明るさを被験者が感じることを示している。すなわち、２６％の以下の出力から出力を変化させたときの被験者に与えた光量変化は、０％の出力から変化させた場合と同程度の光量変化を与えることと同じことを意味する。
【００７９】
したがって、例えば、第２時刻Ｔ２における調光比Ｙ２が２６％である場合、ユーザ１に対して、光量変化を最大限与えつつ、照明光の光量を多くすることができる。よって、ユーザ１を快適に起床させることができる。
【００８０】
［効果など］
以上のように、本実施の形態に係る照明装置１０は、照明光を出射する照明部１１と、時刻を計時する計時部１２と、ユーザ１から設定時刻の入力を受け付ける入力部１３と、設定時刻に基づいて照明部１１を制御する制御部１４とを備え、制御部１４は、設定時刻以降の第１時刻Ｔ１から第２時刻Ｔ２にかけて照明部１１の調光比を低下させ、第２時刻Ｔ２から第３時刻Ｔ３にかけて調光比を増加させる覚醒制御を行い、第２時刻Ｔ２から第３時刻Ｔ３までの調光比の時間変化を、調光比をＹ、時刻をｔとして定数ａ、ｂ、ｃ、ｄを用いて表される関数（１）にフィッティングした場合、定数ｃは、第３時Ｔ３刻より第２時刻Ｔ２に近い値になる。
【００８１】
これにより、図１２に示したように、起床時のユーザ１の気分を良くすることと、ユーザ１の眠気を少なくすることとを両立させることができる。すなわち、本実施の形態に係る照明装置１０によれば、ユーザ１を快適に起床させることができる。
【００８２】
また、例えば、制御部１４は、覚醒制御を繰り返す。
【００８３】
これにより、覚醒制御を繰り返すことで、ユーザ１の覚醒を促すことができる。
【００８４】
また、例えば、制御部１４は、覚醒制御において、さらに、第３時刻Ｔ３から第４時刻Ｔ４にかけて第３時刻Ｔ３における調光比を維持する。
【００８５】
これにより、光量の多い光にユーザ１を暴露させる期間を長くすることができるので、ユーザ１を快適に起床させることができる。
【００８６】
また、例えば、さらに、アラーム音を発するアラーム部１５を備え、制御部１４は、設定時刻にアラーム音を発生させる。
【００８７】
これにより、光刺激だけでなく、音刺激をユーザ１に与えることができるので、ユーザ１の覚醒を強く促すことができる。
【００８８】
また、例えば、制御部１４は、覚醒制御において、さらに、第３時刻Ｔ３でアラーム音を発生させる。
【００８９】
これにより、光刺激だけでなく、音刺激をユーザ１に与えることができるので、ユーザ１の覚醒を強く促すことができる。
【００９０】
また、例えば、制御部１４は、覚醒制御の繰り返しにおいて間欠的に第３時刻Ｔ３でアラーム音を発生させてもよい。
【００９１】
これにより、覚醒制御を繰り返す度にアラーム音が発生するのを防ぐことができるので、アラーム音が毎回発生する煩わしさを軽減することができる。
【００９２】
また、例えば、制御部１４は、さらに、設定時刻より前の開始時刻で照明光の照射を開始し、設定時刻まで調光比を漸次増加させる漸増制御を行う。
【００９３】
これにより、漸増制御を行うことで、ユーザ１の睡眠状態を浅くすることができるので、その後の覚醒制御によって、ユーザ１の覚醒をより強く促すことができる。また、ユーザ１は睡眠が浅い状態で起床するので、起床時のユーザ１の気分を良くすることができ、かつ、起床時のユーザ１の眠気を少なくすることができる。
【００９４】
また、例えば、第１時刻Ｔ１から第３時刻Ｔ３までの期間は、開始時刻から設定時刻までの期間より短い。
【００９５】
これにより、短期間で光量変化をユーザ１に与えることができるので、ユーザ１に光量変化をより強く感じさせることができる。したがって、ユーザ１の覚醒をより強く促すことができる。
【００９６】
また、例えば、第１時刻Ｔ１から第３時刻Ｔ３までの期間は、１分以下である。
【００９７】
これにより、より短期間で光量変化をユーザ１に与えることができるので、ユーザ１の覚醒をより強く促すことができる。
【００９８】
また、例えば、制御部１４は、覚醒制御において、さらに、第２時刻Ｔ２から第３時刻Ｔ３にかけて照明光の相関色温度を上昇させる。
【００９９】
これにより、第２時刻Ｔ２から第３時刻Ｔ３までの光量を増加させる期間において、色温度を制御することで、ユーザ１の覚醒を強く促すことができる。
【０１００】
また、例えば、第２時刻Ｔ２から第３時刻Ｔ３における調光比と相関色温度との関係は、略線形である。
【０１０１】
これにより、光量に応じた色温度の照明光を出射することで、空間として違和感を覚えない照射を行うことができる。
【０１０２】
また、例えば、さらに、設定時刻を含む所定の制御情報を表示する表示部１６を備える。
【０１０３】
これにより、設定時刻などの制御情報を表示することで、ユーザ１の入力を支援することができる。したがって、ユーザ利便性を高めることができる。
【０１０４】
なお、本実施の形態では、照明装置１０が電気スタンド型の照明装置である例について示したが、これに限らない。図１４は、本実施の形態の変形例に係る照明装置１０ａとその使用環境とを示す模式図である。
【０１０５】
本変形例に係る照明装置１０ａは、タブレット端末である。照明装置１０ａは、タッチパネルディスプレイ１１ａを備える。タッチパネルディスプレイ１１ａは、本実施の形態に係る照明部１１、入力部１３及び表示部１６の機能を実現する。
【０１０６】
なお、照明装置１０ａは、タブレット端末に限らず、スマートフォンなどの携帯情報端末、テレビ、パーソナルコンピュータのモニタなどの表示装置でもよい。
【０１０７】
（実施の形態２）
続いて、実施の形態２に係る照明システムについて説明する。上記の実施の形態１では、照明装置１０が単独で起床制御を行うのに対して、本実施の形態に係る照明システムは、複数の装置が協働して起床制御を行う。なお、以降の説明において、実施の形態１と同じ構成要素については、同じ符号を付し、その説明を省略又は簡略化する。
【０１０８】
図１５は、本実施の形態に係る照明システム１００の構成とその使用環境とを示す模式図である。図１６は、本実施の形態に係る照明システム１００の機能構成を示すブロック図である。
【０１０９】
図１５及び図１６に示すように、照明システム１００は、照明装置１１０と、照明装置１１０を制御する制御装置２０とを備える。照明装置１１０は、実施の形態１と同様に、電気スタンド型の照明装置である。制御装置２０は、スマートフォンなどの携帯端末である。
【０１１０】
図１６に示すように、制御装置２０は、計時部１２と、入力部１３と、制御部１４と、アラーム部１５と、表示部１６と、センサ部１７と、記憶部１８と、通信部２１とを備える。つまり、制御装置２０は、実施の形態１に係る照明装置１０の照明部１１以外の構成要素を備える。照明装置１１０は、照明部１１と、通信部１１１と、照明制御部１１２とを備える。
【０１１１】
通信部２１及び通信部１１１は、互いに通信を行う。本実施の形態では、通信部２１と通信部１１１とは、無線通信を行う。無線通信は、例えば、Ｂｌｕｅｔｏｏｔｈ（登録商標）、Ｗｉ−Ｆｉ（登録商標）、Ｚｉｇｂｅｅ（登録商標）、赤外線通信などいかなるものでもよい。なお、通信部２１及び通信部１１１は、ケーブルなどの有線で接続されており、当該ケーブルを介した有線通信を行ってもよい。
【０１１２】
照明制御部１１２は、制御装置２０の制御部１４から送信される制御信号に基づいて、照明部１１の調光及び調色を制御する。
【０１１３】
以上のように、本実施の形態に係る照明システム１００は、照明光を出射する照明部１１を備える照明装置１１０と、照明装置１１０を制御する制御装置２０とを備える照明システムであって、制御装置２０は、時刻を計時する計時部１２と、ユーザ１から設定時刻の入力を受け付ける入力部１３と、設定時刻に基づいて照明部１１を制御する制御部１４とを備え、制御部１４は、設定時刻以降の第１時刻Ｔ１から第２時刻Ｔ２にかけて照明部１１の調光比を低下させ、第２時刻Ｔ２から第３時刻Ｔ３にかけて調光比を増加させる覚醒制御を行い、第２時刻Ｔ２から第３時刻Ｔ３までの調光比の時間変化を、調光比をＹ、時刻をｔとして定数ａ、ｂ、ｃ、ｄを用いて表される関数（１）にフィッティングした場合、定数ｃは、第３時刻Ｔ３より第２時刻Ｔ２に近い値になる。
【０１１４】
これにより、照明装置１１０は制御装置２０からの制御に基づいて照明部１１の調光比を変化させればよい。したがって、例えば、通信機能及び調光機能を有する既存の照明装置（照明器具）を利用して、実施の形態１で示した起床制御を行うことができる。既存の照明装置を有効に利用して、ユーザ１を快適に起床させることができる。
【０１１５】
なお、本実施の形態では、照明装置１１０が電気スタンド型の照明装置である例について示したが、これに限らない。図１７は、本実施の形態の変形例に係る照明システム１００ａとその使用環境とを示す模式図である。
【０１１６】
本変形例に係る照明装置１１０ａは、天井に設置される照明装置であり、例えば、シーリングライトである。本変形例では、ユーザ１は、制御装置２０の入力部１３を介して、設定時刻などの入力を行う。つまり、照明装置１１０ａには、入力ボタンなどを設ける必要はなく、ユーザ１は、照明装置１１０ａに触れる必要はない。このため、照明装置１１０ａのように天井に設置されている場合でも、ユーザ１は手元にある制御装置２０を操作すればよいので、ユーザ利便性を損ねない。また、天井に設けられた照明装置１１０ａから照明光を出射することで、ユーザ１の顔に照明光を当てやすくすることができる。
【０１１７】
なお、照明装置１１０ａは、シーリングライトに限らず、ダウンライト、スポットライト、ペンダントライト、シャンデリア、ブラケットライト、フットライトなどでもよい。
【０１１８】
（実施の形態３）
続いて、実施の形態３に係る照明システムについて説明する。上記の実施の形態２では、制御装置が１つの照明装置を制御したが、本実施の形態に係る照明システムでは、制御装置は複数の照明装置を制御する。
【０１１９】
図１８は、本実施の形態に係る照明システム２００の構成とその使用環境とを示す模式図である。図１９は、本実施の形態に係る照明システム２００の機能構成を示すブロック図である。
【０１２０】
図１８及び図１９に示すように、照明システム２００は、照明装置１１０と、照明装置１１０ａと、照明装置１１０及び照明装置１１０ａを制御する制御装置２２０を備える。なお、照明装置１１０及び照明装置１１０ａは、実施の形態２と同じであるので説明を省略する。
【０１２１】
図１９に示すように、制御装置２２０は、実施の形態２に係る制御装置２０と比較して、制御部１４の代わりに制御部２４を備える点が異なっている。具体的には、制御部２４は、起床制御のうち漸増制御を照明装置１１０ａに行わせ、覚醒制御を照明装置１１０に行わせる。つまり、制御部２４は、漸増制御に係る調光比の指示を、通信部２１を介して照明装置１１０ａに送信する。制御部２４は、覚醒制御に係る調光比の指示を、通信部２１を介して照明装置１１０に送信する。
【０１２２】
以上のように、複数の照明装置１１０及び１１０ａを利用して起床制御を行い、ユーザ１を快適に起床させることができる。
【０１２３】
なお、本実施の形態では、照明装置１１０が漸増制御を行い、照明装置１１０ａが覚醒制御を行ってもよい。あるいは、照明装置１１０又は１１０ａは、漸増制御と覚醒制御との両方を行ってもよい。
【０１２４】
（実施の形態４）
続いて、実施の形態４に係る照明システムについて説明する。上記の実施の形態３では、制御装置がアラーム部を備える例について示したが、本実施の形態に係る照明システムでは、照明装置及び制御装置とは別体のスピーカがアラーム部を備える。
【０１２５】
図２０は、本実施の形態に係る照明システム３００とその使用環境とを示す模式図である。図２１は、本実施の形態に係る照明システム３００の機能構成を示すブロック図である。
【０１２６】
図２０及び図２１に示すように、照明システム３００は、照明装置１１０と、照明装置１１０ａと、スピーカ３３０と、照明装置１１０及び１１０ａ並びにスピーカ３３０を制御する制御装置３２０とを備える。照明装置１１０及び照明装置１１０ａは、実施の形態３と同じであるので説明を省略する。
【０１２７】
図２１に示すように、制御装置３２０は、実施の形態３に係る制御装置２２０と比較して、アラーム部１５を備えない点が異なっている。制御装置３２０は、アラーム部１５を備えないので、制御部２４は、通信部２１を介してスピーカ３３０を制御することで、アラーム音を発生させる。アラーム音の発生させるタイミングなどは、実施の形態１と同様である。
【０１２８】
本実施の形態では、スピーカ３３０は、図２０に示すように、天井に取り付けられた天井直付スピーカであるが、これに限らない。例えば、ベッド２の近傍（寝室内）にオーディオシステム、テレビなどが配置されている場合は、これらをスピーカ３３０として利用することもできる。
【０１２９】
スピーカ３３０は、図２１に示すように、通信部３３１と、アラーム部１５とを備える。通信部３３１は、通信部２１と通信する。通信部３３１と通信部２１との通信は、例えば、無線通信であり、具体的には、Ｂｌｕｅｔｏｏｔｈ（登録商標）、Ｗｉ−Ｆｉ（登録商標）、Ｚｉｇｂｅｅ（登録商標）、赤外線通信などである。
【０１３０】
アラーム部１５は、通信部２１及び通信部３３１を介して、制御装置３２０の制御部２４から送信される制御信号に基づいて、アラーム音を発する。
【０１３１】
以上のように、制御装置３２０並びに照明装置１１０及び１１０ａとは別体のスピーカ３３０を利用してアラーム音を発生させることもできる。
【０１３２】
（その他）
以上、本発明に係る照明装置及び照明システムについて、上記実施の形態及びその変形例に基づいて説明したが、本発明は、上記の実施の形態に限定されるものではない。
【０１３３】
例えば、上記の実施の形態では、調光比の時間変化をシグモイドカーブに対して、最小二乗法を用いたフィッティングを行ったが、これに限らない。カーブフィッティングに用いられるその他の一般的な手法を用いることができる。
【０１３４】
また、例えば、上記の実施の形態では、第１時刻Ｔ１は、アラーム音を停止させた時刻又はアラーム期間が経過した時刻である例について示したが、これに限らない。第１時刻Ｔ１は、設定時刻でもよい。すなわち、制御部１４は、アラーム音が鳴っている期間中に、調光比を減少させてもよい。また、２回目以降の繰り返し中の覚醒制御においては、第１時刻Ｔ１は、直前の覚醒制御の終了時刻でもよい。
【０１３５】
また、例えば、上記の実施の形態では、第２時刻Ｔ２は、調光比が第１目標値（調光比Ｙ２）に達した時刻である例について示したが、これに限らない。第２時刻Ｔ２は、第１時刻Ｔ１から予め定められた期間経過した時刻でもよい。すなわち、制御部１４は、覚醒制御において、第１目標値に達するまでではなく、予め定められた期間で調光比を減少させてもよい。
【０１３６】
また、例えば、上記の実施の形態では、覚醒制御では、第３時刻Ｔ３から第４時刻Ｔ４まで調光比を維持するが、これに限らない。制御部１４は、調光比を維持することなく、再び覚醒制御を繰り返してもよい。つまり、第３時刻Ｔ３が、次の覚醒制御における第１時刻Ｔ１になってもよい。また、制御部１４は、覚醒制御を繰り返さなくてもよく、覚醒制御を１回のみ行ってもよい。
【０１３７】
また、例えば、上記の実施の形態では、照明装置１０又は照明システム１００などがアラーム部１５を備える例について示したが、照明装置１０又は照明システム１００などは、アラーム部１５を備えなくてもよい。例えば、設定時刻では、アラーム音を鳴らさなくてもよい。
【０１３８】
また、例えば、上記の実施の形態では、制御部１４は、第２時刻Ｔ２から第３時刻Ｔ３にかけて調光比の変化に応じて、照明光の相関色温度を変化させたが、これに限らない。例えば、照明部１１は、調色機能を有しておらず、照明光の相関色温度は常に一定でもよい。あるいは、制御部１４は、第１時刻Ｔ１から第２時刻Ｔ２にかけて、照明光の相関色温度を変化させてもよく、あるいは、漸増制御において照明光の相関色温度を変化させてもよい。
【０１３９】
また、例えば、上記の実施の形態では、照明装置１０又は制御装置２０などがセンサ部１７を備える例について示したが、これに限らない。センサ部１７は、照明装置１０及び制御装置２０などとは別体で設けられていてもよい。
【０１４０】
同様に、照明装置１０又は制御装置２０などが表示部１６を備える例について示したが、これに限らない。表示部１６は、照明装置１０及び制御装置２０などとは別体で設けられてもよい。
【０１４１】
また、例えば、上記の実施の形態において、起床制御が漸増制御と覚醒制御とを含む例について示したが、これに限らない。例えば、起床制御は、覚醒制御のみを含んでもよい。
【０１４２】
また、上記の各実施の形態において、各構成要素は、専用のハードウェアで構成されてもよく、あるいは、各構成要素に適したソフトウェアプログラムを実行することによって実現されてもよい。各構成要素は、ＣＰＵ（Ｃｅｎｔｒａｌ  Ｐｒｏｃｅｓｓｉｎｇ  Ｕｎｉｔ）又はプロセッサなどのプログラム実行部が、ハードディスク又は半導体メモリなどの記録媒体に記録されたソフトウェアプログラムを読み出して実行することによって実現されてもよい。
【０１４３】
なお、本発明は、照明装置又は照明システムとして実現できるだけでなく、照明装置又は照明システムの各構成要素が行う処理をステップとして含むプログラム、及び、そのプログラムを記録したコンピュータ読み取り可能なＤＶＤ（Ｄｉｇｉｔａｌ  Ｖｅｒｓａｔｉｌｅ  Ｄｉｓｃ）などの記録媒体として実現することもできる。
【０１４４】
つまり、上述した包括的又は具体的な態様は、システム、装置、集積回路、コンピュータプログラム又はコンピュータ読み取り可能な記録媒体で実現されてもよく、システム、装置、集積回路、コンピュータプログラム及び記録媒体の任意な組み合わせで実現されてもよい。
【０１４５】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１４６】
１  ユーザ
１０、１０ａ、１１０、１１０ａ  照明装置
１１  照明部
１２  計時部
１３  入力部
１４、２４  制御部
１５  アラーム部
１６  表示部
２０、２２０、３２０  制御装置
１００、１００ａ、２００、３００  照明システム
【図１】
0006508598.tif 000006
【図２】
0006508598.tif 000007
【図３】
0006508598.tif 000008
【図４】
0006508598.tif 000009
【図５】
0006508598.tif 000010
【図６】
0006508598.tif 000011
【図７】
0006508598.tif 000012
【図８】
0006508598.tif 000013
【図９】
0006508598.tif 000014
【図１０Ａ】
0006508598.tif 000015
【図１０Ｂ】
0006508598.tif 000016
【図１１】
0006508598.tif 000017
【図１２】
0006508598.tif 000018
【図１３】
0006508598.tif 000019
【図１４】
0006508598.tif 000020
【図１５】
0006508598.tif 000021
【図１６】
0006508598.tif 000022
【図１７】
0006508598.tif 000023
【図１８】
0006508598.tif 000024
【図１９】
0006508598.tif 000025
【図２０】
0006508598.tif 000026
【図２１】
0006508598.tif 000027